(57)【特許請求の範囲】
【請求項１】
ハンドル部と、当該ハンドル部に接続される長尺部分とを有し、その先端が、長尺部分とほぼ同じ太さ、あるいはそれ以下の太さである医療器具を収容するための医療器具用容器であって、
第１医療器具のハンドル部が収納される第１ハンドル部用凹部が形成してあると共に、前記第１医療器具とはハンドル形状が異なる第２医療器具のハンドル部が収容される第２ハンドル部用凹部が形成してあり、
前記第１ハンドル部用凹部と前記第２ハンドル部用凹部とをつなぐ長尺部分用凹部が形成してある医療器具用容器。
【請求項２】
前記第１ハンドル部用凹部と前記第２ハンドル部用凹部とは、一方のハンドル部用凹部に前記医療器具のハンドル部を収容したときに、他方のハンドル部用凹部に前記医療器具の長尺部の先端を位置させて収容するように形成してある請求項１に記載の医療器具用容器。
【請求項３】
前記第１ハンドル部用凹部と前記第２ハンドル部用凹部との間であって、前記長尺部分用凹部の途中に、第３ハンドル部用凹部が形成してある請求項１または２に記載の医療器具用容器。
【請求項４】
前記第１ハンドル部用凹部、前記第２ハンドル部用凹部、前記第３ハンドル部用凹部の形状はそれぞれ異なる請求項３に記載の医療器具用容器。
【請求項５】
前記長尺部分用凹部が、直線上に形成してある請求項１〜４のいずれかに記載の医療器具用容器。
【請求項６】
前記長尺部分用凹部が、曲線状に形成してある請求項１〜４のいずれかに記載の医療器具用容器。
【請求項７】
前記医療器具用容器の周囲を囲む滅菌袋をさらに有する請求項１〜６のいずれかに記載の医療器具用容器。
【発明の詳細な説明】
【技術分野】
【０００１】
本発明は、ハンドル部と、当該ハンドル部に接続される長尺部分とを有する医療器具を収容するための医療器具用容器に関する。
【背景技術】
【０００２】
従来、カテーテルなどの医療器具を収容するための医療器具用容器は、１カ所のハンドル部用凹部と長尺部分用凹部とを有する形状が知られている。この医療器具用容器は、下記の特許文献１にも示すように、ハンドル部用凹部に医療器具のハンドル部を収容し、長尺部分用凹部にカテーテル管を収容することができる。
【０００３】
しかしながら、カテーテルのハンドル部の形状は用途に応じて多数に及ぶ。従来の医療器具用容器では、１種類のカテーテルのみ収容できる構造であるため、カテーテルの製造業者は、カテーテルのハンドル形状に応じて、各ハンドル部形状に合わせた医療器具用容器を製造して、保管しておく必要がある。従って、製造コスト高や保管コスト高を免れなかった。
【特許文献１】特表２００２−５３６２６４
【発明の開示】
【発明が解決しようとする課題】
【０００４】
本発明は、このような実状に鑑みてなされ、その目的は、１つの医療器具用容器にて、複数種類の医療器具を収容することが可能であり、製造コストおよび保管コストを低減することができる医療器具用容器を提供することである。
【課題を解決するための手段】
【０００５】
上記目的を達成するために、本発明に係る医療器具用容器は、
ハンドル部と、当該ハンドル部に接続される長尺部分とを有し、その先端が、長尺部分とほぼ同じ太さ、あるいはそれ以下の太さである医療器具を収容するための医療器具用容器であって、
第１医療器具のハンドル部が収納される第１ハンドル部用凹部が形成してあると共に、前記第１医療器具とはハンドル形状が異なる第２医療器具のハンドル部が収容される第２ハンドル部用凹部が形成してあり、
前記第１ハンドル部用凹部と前記第２ハンドル部用凹部とをつなぐ長尺部分用凹部が形成してある。
【０００６】
本発明に係る医療器具用容器では、医療器具のハンドル部を、その形状に合う第１ハンドル部用凹部、または第２ハンドル部用凹部のいずれかに収容する。医療器具のハンドル部形状が、第１ハンドル部用凹部の形状に合うときは、第１ハンドル部用凹部に医療器具のハンドル部を収容する。医療器具の長尺部分は長尺部分用凹部に収容される。
【０００７】
医療器具の先端は、医療器具の長尺部分とほぼ同じ太さ、あるいはそれ以下の太さであることが一般的であり、医療器具のハンドル部より大きいことは少ない。このため、第２ハンドル部用凹部に医療器具の先端を位置させて収容することができる。
【０００８】
また、医療器具のハンドル部形状が、第２ハンドル部用凹部の形状に合うときは、第２ハンドル部用凹部に医療器具のハンドル部を収容する。その医療器具の長尺部分は長尺部分用凹部に収容される。医療器具の先端は、第１ハンドル部用凹部に位置させて収容させることができる。
【０００９】
そのため、従来の医療器具用容器とは異なり、１つの医療器具用容器にて、２種類の医療器具のいずれかを収容することができる。その結果、医療器具用容器の製造コストおよび保管コストを低減することができる。
【００１０】
好ましくは、前記第１ハンドル部用凹部と前記第２ハンドル部用凹部とは、一方のハンドル部用凹部に前記医療器具のハンドル部を収容したときに、他方のハンドル部用凹部に前記医療器具の長尺部の先端を位置させて収容するように形成してある。
【００１１】
好ましくは、前記第１ハンドル部用凹部と前記第２ハンドル部用凹部との間であって、前記長尺部分用凹部の途中に、第３ハンドル部用凹部が形成してある。このような構成にすることで、１つの医療器具容器にて、長尺部分の長さが異なる３種類以上の医療器具のいずれかを収容できる。
【００１２】
好ましくは、前記第１ハンドル部用凹部と前記第２ハンドル部用凹部と第３ハンドル部用凹部との形状はそれぞれ異なる。このような構成にすることで、１つの医療器具容器にて、ハンドル部形状と長尺部分の長さとが異なる３種類以上の医療器具のいずれかを収容できる。
【００１３】
好ましくは、前記長尺部分用凹部が直線上に形成してある。このような構成にすることで、医療器具長尺部分を直線状に収容できる。
【００１４】
好ましくは、前記長尺部分用凹部が曲線状に形成してある。このような構成にすることで、長尺部分がきわめて長い医療器具を収容するときに、巻回して収容できるため、医療器具用容器が大きくなりすぎず、効率的に収容できる。
【発明を実施するための最良の形態】
【００１５】
以下、本発明を、図面に示す実施形態に基づき説明する。
第１実施形態
【００１６】
図１および図４（Ａ）〜図５（Ｂ）に示すように、本発明の第１実施形態に係る医療器具用容器２は、第１医療器具６ａまたは第２医療器具６ｂを収容するための容器である。
【００１７】
図６（Ａ）および図６（Ｂ）に示すように、医療器具用容器２は、第１医療器具６ａまたは第２医療器具６ｂを収容している状態で、滅菌処理がなされた滅菌袋４により覆われて搬送される。医療器具用容器２が病院の処置室などの使用場所に搬送されると、滅菌袋４が取り除かれる。
【００１８】
図４（Ａ）および図４（Ｂ）に示すように、医療器具用容器２に収容される第１医療器具６ａは、第１ハンドル部８ａに接続される長尺部分であるカテーテル管１０を有する。カテーテル管１０の先端には、この実施形態では、ループ状電極１２などの医療用処置具が具備してある。第１ハンドル部８ａの形状は、直径と高さとが異なる４種類の円柱８ａ１と円柱８ａ２と円柱８ａ３と円柱８ａ４とをつなぎ合わせた形状である。
【００１９】
図５（Ａ）、図５（Ｂ）に示すように、医療器具用容器２に収容される第２医療器具６ｂは、第２ハンドル部８ｂに接続される長尺部分であるカテーテル管１０を有する。カテーテル管１０の先端には、この実施形態では、ループ状電極１２などの医療用処置具が具備してある。第２ハンドル部８ｂの形状は、直径と高さとが異なる３種類の円柱８ｂ１と円柱８ｂ２と円柱８ｂ３とをつなぎ合わせた形状である。
【００２０】
このように第１医療器具６ａと第２医療器具６ｂとでは、その形状が異なる。本実施形態では、以下のような構成を採用することで、このような二種類の第１医療器具６ａおよび第２医療器具６ｂのいずれかを収容することができる。
【００２１】
図１に示すように、医療器具用容器２は、上面２０と４つの側面２２とを有する。上面２０には、第１ハンドル部用凹部２４ａと第２ハンドル部用凹部２４ｂと長尺部分用凹部２６ａとが設けられている。第１ハンドル部用凹部２４ａの深さと第２ハンドル部用凹部２４ｂの深さと長尺部分用凹部２６ａの深さは、側面２２の高さよりも浅い。
【００２２】
図１〜図５に示すように、医療器具用容器２は、全体として長方形型のトレイであり、たとえばプレス成形、真空成形、射出成形などにより形成される。この医療器具用容器２の材質は、たとえばポリスチレン、ポリエチレンテレフタレートなどの合成樹脂で構成される。
【００２３】
ハンドル部用凹部２４ａ，２４ｂにおいては、医療器具６ａ，６ｂのハンドル部８ａ，８ｂを掴みやすくするために、指を挿入するスペースを設け、ハンドル部の形状に合わせて凹部２４ａ，２４ｂの深さに差をつけた形状となっている。また、
【００２４】
全体として長方形状の医療器具用容器２における上面２０に形成してある第１ハンドル部用凹部２４ａは、第１医療器具６ａの第１ハンドル部８ａを着脱自在に収容するために適した形状を有する。すなわち、第１ハンドル部用凹部２４ａは、高さと大きさと形状とが異なる凹部２４ａ１、凹部２４ａ２、凹部２４ａ３、凹部２４ａ４とで形成される。
【００２５】
図４（Ａ）に示すように、これらの凹部２４ａ１、凹部２４ａ２、凹部２４ａ３、凹部２４ａ４は、第１ハンドル部８ａの円柱８ａ１と円柱８ａ２と円柱８ａ３と円柱８ａ４とをつなぎ合わせた形状に合わせてある。特に、凹部２４ａ２は、第１ハンドル部８ａの円柱８ａ２よりも幅が広く形成してあり、その凹部２４ａ２に指を入れて、第１ハンドル部８ａの円柱８ａ２をつかみ取りし易くしてある。
【００２６】
また、図５(Ａ）に示すように、第２ハンドル部用凹部２４ｂは、第２医療器具６ｂの第２ハンドル部８ｂを着脱自在に収容するために適した形状を有する。すなわち、第２ハンドル部用凹部２４ｂは、高さと大きさと形状とが異なる凹部２４ｂ１、凹部２４ｂ２、凹部２４ｂ３とで形成される。
【００２７】
図５（Ａ）に示すように、これらの凹部２４ｂ１、凹部２４ｂ２、凹部２４ｂ３は、第２ハンドル部８ｂの円柱８ｂ１と円柱８ｂ２と円柱８ｂ３とをつなぎ合わせた形状に合わせてある。特に、凹部２４ｂ１および凹部２４ｂ３は、第２ハンドル部８ｂの円柱８ｂ１および円柱８ｂ３よりもそれぞれ幅が広く形成してあり、それらの凹部２４ｂ１，２４ｂ３に指を入れて、第２ハンドル部８ｂをつかみ取りし易くしてある。
【００２８】
これらの第１ハンドル部用凹部２４ａと第２ハンドル部用凹部２４ｂとをつなぐ直線状の長尺部分用凹部２６ａはカテーテル管１０を収容するために適した形状を有する。
【００２９】
本実施形態に係る医療器具用容器２では、図４（Ａ）〜図５（Ｂ）に示すように、異なるハンドル部形状をもつ第１医療器具６ａまたは第２医療器具６ｂのいずれかを収容することができる。
【００３０】
たとえば図４（Ａ）に示すように、第１医療器具６ａの第１ハンドル部８ａは第１ハンドル部用凹部２４ａに収容され、長尺部分であるカテーテル管１０は長尺部分用凹部２６ａに収容される。図４（Ｂ）に示すように、ループ状電極１２は他方の第２ハンドル部用凹部２４ｂに収容される。カテーテル管１０の先端部分に具備してあるループ状電極１２は、カテーテル管１０より細く、一般的な医療器具のハンドル部より小さいため、第２ハンドル部用凹部２４ｂに収容可能である。
【００３１】
また、図５（Ａ）に示すように、第１医療器具６ａとは異なる第２医療器具６ｂを医療器具用容器２に収容する場合には、第２医療器具６ｂの第２ハンドル部８ｂは第２ハンドル部用凹部２４ｂに収容され、長尺部分であるカテーテル管１０は長尺部分用凹部２６ａに収容される。また、図５（Ｂ）に示すように、ループ状電極１２は第１ハンドル部用凹部２４ａに収容される。
【００３２】
そのため、従来の医療器具用容器とは異なり、１つの医療器具用容器２にて、ハンドル部形状が異なる２種類の医療器具６ａ，６ｂのいずれかを収容できる。そのため、医療器具用容器２の製造コストおよび保管コストを低減することができる。
第２実施形態
【００３３】
図７に示すように、本実施形態に係る医療器具用容器２ａでは、第１ハンドル部用凹部２４ａと第２ハンドル部用凹部２４ｂとの間であって、長尺部分用凹部２６ａの途中に、第３ハンドル部用凹部２４ｃが形成してある。第３ハンドル部用凹部２４ｃは、高さと大きさとが異なる凹部２４ｃ１、凹部２４ｃ２、凹部２４ｃ３および凹部２４ｃ３で形成される。
【００３４】
第３ハンドル部用凹部２４ｃは、第１ハンドル部用凹部２４ａおよび第２ハンドル部用凹部２４ｂとも異なる形状を持ち、前述した２種類の医療器具６ａ，６ｂのハンドル部８ａ，８ｂとは異なるハンドル部が着脱自在に嵌め合わされるようになっている。
【００３５】
本実施形態に係る医療器具用容器２ａによれば、異なるハンドル部形状をもつ第１医療器具６ａまたは第２医療器具６ｂのいずれかを収容することができると共に、これらの医療器具６ａ，６ｂとは異なる第３医療器具（図示省略）を収容することができる。
【００３６】
すなわち、第１医療器具６ａまたは第２医療器具６ｂのカテーテル管１０の長さよりも短いカテーテル管の長さを持ち、ハンドル部形状が異なる別の第３医療器具の第３ハンドル部を、第３ハンドル部用凹部２４ｃに収容することができる。第３医療器具のカテーテル管は長尺部分用凹部２６ａに収容され、その先端に形成してある処置部分は、第１ハンドル部用凹部２４ａに収容される。
【００３７】
本実施形態に係る医療器具用容器２ａでは、従来の医療器具用容器とは異なり、１つの医療器具用容器２ａにて、ハンドル部形状が異なる３種類以上の医療器具のいずれかを収容できる。本実施形態に係る医療器具用容器２ａのその他の構成および作用効果は、前述した医療器具用容器２と同様であり、その詳細な説明は省略する。
第３実施形態
【００３８】
図８および図９に示すように、本実施形態に係る医療器具用容器２ｂでは、容器２ｂの上面に、略円形状の溝である曲線状長尺部分用凹部２６ｂが形成してあり、その中央部には、円形凸部３０が形成してある。円形凸部３０の上面は、容器２ｂの上面と同じ面である。
【００３９】
略円形状の溝である曲線状長尺部分用凹部２６ｂには、ハンドル部用凹部２４ａ，１２４ａが連通するようになっている。ハンドル部用凹部２４ａ，１２４ａは、双方共に容器２ｂの長手方向Ｘに沿って片側に位置し、相互に容器２ｂの短手方向Ｙに沿って反対側に位置する。
【００４０】
一方のハンドル部用凹部２４ａは、図４（Ａ）に示すハンドル部用凹部２４ａと同じ形状および構造であり、第１医療器具６ａの第１ハンドル部８ａが収容可能になっている。他方のハンドル部用凹部１２４ａは、図９に示すように、その他の形状の医療器具６ｃのハンドル部８ｃが収容可能になっている。
【００４１】
医療器具６ｃは、ハンドル部８ｃに接続される長尺部分であるカテーテル管１０を有する。ハンドル部８ｃの形状は、直径と高さとが異なる３種類の円柱８ｃ１と円柱８ｃ２と円柱８ｃ３とをつなぎ合わせた形状である。ハンドル部用凹部１２４ａは、ハンドル部８ｃの形状に合わせて形成してあり、凹部１２４ａ１、凹部１２４ａ２および凹部１２４ａ３で形成される。
【００４２】
中間に位置する凹部１２４ａ２は、医療器具用容器２ｂから医療器具６ｃを取り出すときに、ハンドル部８ｃを掴みやすくするために、指を挿入するスペース分を作るために幅広に成形してある。曲線状長尺部分用凹部２６ｂには、カテーテル管１０を巻回して収容することができる。また、カテーテル管１０の先端に形成してある処置部分は、第１ハンドル部用凹部２４ａに収容される。
【００４３】
本実施形態に係る医療器具用容器２ｂでは、図４（Ａ）に示す第１医療器具６ａの第１ハンドル部８ａは、図８に示すハンドル部用凹部２４ａに収容することができる。また、曲線状長尺部分用凹部２６ｂには、カテーテル管１０を巻回して収容することができる。また、そのカテーテル管１０の先端に形成してある処置部分は、ハンドル部用凹部１２４ａに収容される。
【００４４】
したがって、本実施形態に係る医療器具用容器２ｂでも、第１実施形態に係る医療器具用容器２と同様に、ハンドル部形状が異なる２種類の医療器具６ａ，６ｃのいずれかを収容できる。特に本実施形態では、カテーテル管１０がきわめて長い医療器具を収容するときに、カテーテル管１０を巻回して収容できるため、医療器具用容器２ｂが大きくなりすぎず、効率的に収容できる。本実施形態に係る医療器具用容器２ｂのその他の構成および作用効果は、前述した医療器具用容器２と同様であり、その詳細な説明は省略する。
【００４５】
なお、本発明は、上述した実施形態に限定されるものではなく、本発明の範囲内で種々に改変することができる。たとえば図８に示す実施形態においても、図７に示す実施形態と同様に、曲線状長尺部分用凹部２６ｂの途中に、その他のハンドル部用凹部が形成してあってもよい。その他のハンドル部用凹部は、たとえば容器２ｂの四隅部分に形成することが好ましい。
【図面の簡単な説明】
【００４６】
【図１】図１は本発明の一実施形態に係る医療器具用容器の全体斜視図である。
【図２】図２（Ａ）は図１に示す医療器具用容器の平面図である。
【図３】図３は図２に示すIII−III線に沿う断面図である。
【図４】図４（Ａ）および図４（Ｂ）は図１に示す医療器具用容器の使用状態を示す部分斜視図である。
【図５】図５（Ａ）および図５（Ｂ）は図１に示す医療器具用容器のその他の使用状態を示す部分斜視図である。
【図６】図６（Ａ）および図６（Ｂ）は図１に示す医療器具用容器を滅菌袋で覆った使用状態を示す部分斜視図である。
【図７】図７は本発明のその他の実施形態に係る医療器具用容器の平面図である。
【図８】図８は本発明のその他の実施形態に係る医療器具用容器の全体斜視図である。
【図９】図９は図８に示す医療器具用容器の使用状態を示す部分斜視図である。
【符号の説明】
【００４７】
２，２ａ，２ｂ…  医療器具用容器
４…  滅菌袋
６ａ，６ｂ，６ｃ…  医療器具
８ａ，８ｂ，８ｃ…  ハンドル部
１０…  カテーテル管
１２…  ループ状電極
２４ａ，２４ｂ，２４ｃ，１２４ａ…  ハンドル部用凹部
２６ａ…  長尺部分用凹部
２６ｂ…  曲線状長尺部分用凹部
３０…円形凸部
【図１】
0004614461.tif 000002
【図２】
0004614461.tif 000003
【図３】
0004614461.tif 000004
【図４】
0004614461.tif 000005
【図５】
0004614461.tif 000006
【図６】
0004614461.tif 000007
【図７】
0004614461.tif 000008
【図８】
0004614461.tif 000009
【図９】
0004614461.tif 000010